(57)【要約】【課題】  本発明は風切り室を泥棒の捕獲空間として利用するとともに、二重扉のロックによって防犯効果が得られるお店の出入口装置を得るにある。【解決手段】  お店の出入口に設けられた開閉扉と、この開閉扉の前面を覆うように両側あるいは一側部に風切り用開閉扉が設けられた風切り室と、店内に設けられたスイッチを操作すると前記開閉扉が開放した後、閉じると開放不能となるとともに、前記風切り用開閉扉を開放不能に制御する開閉扉制御装置とでお店の出入口装置を構成している。【選択図】  図３
2009024925.tif 000002
【特許請求の範囲】
【請求項１】
お店の出入口に設けられた開閉扉と、この開閉扉の前面を覆うように両側あるいは一側部に風切り用開閉扉が設けられた風切り室と、店内に設けられたスイッチを操作すると前記開閉扉が開放した後、閉じると開放不能となるとともに、前記風切り用開閉扉を開放不能に制御する開閉扉制御装置とからなることを特徴とするお店の出入口装置。
【請求項２】
開閉扉および風切り用開閉扉は自動開閉装置で開閉される扉であるとともに、スイッチを操作すると前記開閉扉の開放は通常より小さく開放し、短時間に閉じるように制御する開閉扉制御装置を用いていることを特徴とする請求項1記載のお店の出入口装置。
【発明の詳細な説明】
【技術分野】
【０００１】
本発明はお店の出入口装置に関する。
【背景技術】
【０００２】
従来、開閉扉を設けた出入口の前面に両側部に開閉扉を設けた風切り室を設けたお店の出入口装置が使用されている。
【０００３】
しかしながら、このようなお店の出入口装置は直接風や雪が店内へ侵入するのを防止するだけで、スペースをとる割には有効利用されていないという欠点があった。
【特許文献１】特になし
【発明の開示】
【発明が解決しようとする課題】
【０００４】
本発明は以上のような従来の欠点に鑑み、風切り室を泥棒の捕獲空間として利用するとともに、二重扉のロックによって防犯効果が得られるお店の出入口装置を提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００６】
上記目的を達成するために、本発明はお店の出入口に設けられた開閉扉と、この開閉扉の前面を覆うように両側あるいは一側部に風切り用開閉扉が設けられた風切り室と、店内に設けられたスイッチを操作すると前記開閉扉が開放した後、閉じると開放不能となるとともに、前記風切り用開閉扉を開放不能に制御する開閉扉制御装置とでお店の出入口装置を構成している。
【発明の効果】
【０００７】
以上の説明から明らかなように、本発明にあっては次に列挙する効果が得られる。
【０００８】
（１）お店の出入口に設けられた開閉扉と、この開閉扉の前面を覆うように両側あるいは一側部に風切り用開閉扉が設けられた風切り室と、店内に設けられたスイッチを操作すると前記開閉扉が開放した後、閉じると開放不能となるとともに、前記風切り用開閉扉を開放不能に制御する開閉扉制御装置とで構成されているので、開閉扉制御装置のスイッチの操作で、風切り室用開閉扉と出入口の開閉扉を開放後閉じることができる。
したがって、泥棒が店内から逃げようとした時にスイッチを操作させて開閉扉制御装置を作動させることにより、泥棒は風切り室内へ入ることができるが、開閉扉と風切り用開閉扉が閉じたロック状態となって、風切り室内より出ることができなくなり、捕獲することができる。
【０００９】
（２）前記（１）によって、開閉扉と風切り用開閉扉とを閉じたロック状態にできるので、閉店後、ロック状態にすることにより、店内への侵入は2つの開閉扉を開放しなければならず、防犯効果を向上させることができる。
【００１０】
（３）前記（１）によって、スイッチの操作によって風切り用開閉扉が閉じたロック状態となるので、外部から店内へ入ることができなくなり、お客の安全を図ることができる。
【００１１】
（４）前記（１）によって、開閉扉と風切り用開閉扉の開閉を制御すればよいので、比較的簡単に設置することができる。
【００１２】
（５）請求項２も前記（１）〜（４）と同様な効果が得られるとともに、より確実に風切り室内に泥棒を閉じ込めることができる。
【発明を実施するための最良の形態】
【００１３】
以下、図面に示す本発明を実施するための最良の形態により、本発明を詳細に説明する。
【００１４】
図１ないし図５に示す本発明を実施するための最良の第１の形態において、１は本発明のお店の出入口装置で、このお店の出入口装置1はコンビニエンスストアー、銀行、郵便局等の店内２への出入口３に設けられた市販の自動開閉装置４によって自動的に開閉する開閉扉５と、この開閉扉５の前面を覆うように両側部に市販の自動開閉装置６、６によって自動的に開閉する風切り用開閉扉７、７が設けられた風切り室８と、前記店内２のレジ９近傍部位に設けられた、警察に通報することができるスイッチ１０、このスイッチ１０を操作（ＯＮ）すると警察に通報し、前記開閉扉５が開放した後、閉じると開放不能のロック状態にするとともに、前記風切り用開閉扉７、７を開放不能のロック状態に制御する開閉扉制御装置１１と、必要に応じて設置される前記開閉扉５および前記風切り用開閉扉７、７が開放不能のロック状態になると自動的に前記風切り室８内に催眠スプレー剤を噴射する風切り室８の天井部位などにノズル１７ａが設置された催眠スプレー噴射装置１７とで構成されている。
【００１５】
前記開閉扉制御装置１１は前記スイッチ１０をＯＮすると風切り用開閉扉７、７の自動開閉装置６、６を、風切り用開閉扉７、７を開放できないＯＦＦ状態にするとともに、開閉扉５の自動開閉装置４を開放した後、閉じると開放できないＯＦＦ状態にするものである。
すなわち、開閉扉５の自動開閉装置４はスイッチ１０がＯＮされると開閉扉５は一度開放して、閉じるとその状態でＯＦＦ状態となるように制御される。
【００１６】
上記構成のお店の出入口装置１は、泥棒１２が店内２より逃げる場合、店員がレジ９近傍のスイッチ１０をＯＮ状態にすると、警察へ通報するとともに、泥棒１２は開閉扉５より風切り室８内へ入り、該風切り室８より風切り用開閉扉７、７のいずれかより外部へ逃げようとするが、風切り用開閉扉７、７は開放しないＯＦＦ状態となるとともに、風切り室８内へ開閉扉５を開放して入り、閉じると開放しないＯＦＦ状態となって、泥棒１２を風切り室８内へ閉じ込めることができる。
この状態で、催眠スプレー噴射装置１７で風切り室８内に催眠スプレー剤を噴射すると泥棒１２をおとなしくさせることができる。この場合，人質がいても人質と泥棒１２をおとなしくさせることができ、人質の安全も図ることができる。
スイッチ１０をＯＦＦすることにより、開閉扉５、風切り用開閉扉７、７は自動開閉装置４、６、６によって自動的に開閉する。
また、閉店時に自動開閉装置４、６、６をＯＦＦ状態にすることにより、風切り用開閉扉７、７と開閉扉５はロックされたＯＦＦ状態となるため、泥棒が店内２へ侵入しようとしても、２枚の開閉扉７、５を開放しなければならず、時間がかかるため、防犯効果が得られる。
なお、スイッチ１０をＯＮすると開閉扉５の開放は全開状態にはならず、半開状態からすばやく閉じるように設定してもよい。
[発明を実施するための異なる形態]
【００１７】
次に、図６ないし図１４に示す本発明を実施するための異なる形態につき説明する。なお、これらの本発明を実施するための異なる形態の説明に当って、前記本発明を実施するための最良の第１の形態と同一構成部分には同一符号を付して重複する説明を省略する。
【００１８】
図６ないし図８に示す本発明を実施するための第２の形態において、前記本発明を実施するための最良の第１の形態と主に異なる点は、一側面に風切り用開閉扉７を設けた風切り室８Ａを用いた点で、このような風切り室８Ａを用いたお店の出入口装置１Ａにしても、前記本発明を実施するための最良の第１の形態と同様な作用効果が得られる。
【００１９】
図９ないし図１１に示す本発明を実施するための第３の形態において、前記本発明を実施するための最良の第１の形態と主に異なる点は、ドアクローザ１３、１３を用いた風切り用開閉扉７Ａ、７Ａと、この風切り用開閉扉７Ａ、７Ａを電磁ソレノイド１４、１４でスイッチ１０をＯＮすると自動的にロックすることができる開閉扉制御装置１１Ａを用いた点で、このような風切り用開閉扉７Ａ、７Ａと開閉扉制御装置１１Ａを用いて構成したお店の出入口装置１Ｂにしても、前記本発明を実施するための最良の第１の形態と同様な作用効果が得られる。
【００２０】
図１２ないし図１４に示す本発明を実施するための第４の形態において、前記本発明を実施するための最良の第１の形態と主に異なる点は、開閉扉５を設けた裏出入口１５にも風切り用開閉扉７が設けられた裏口用風切り室１６を設けた点で、このように構成されたお店の出入口装置１Ｃにしても、前記本発明を実施するための最良の第１の形態と同様な作用効果が得られるとともに、店員が裏口用風切り室１６内へ逃げ込むこともできる。
【産業上の利用可能性】
【００２１】
本発明はお店の出入口装置を製造する産業で利用される。
【図面の簡単な説明】
【００２２】
【図１】本発明を実施するための最良の第１の形態の正面図。
【図２】図１の２−２線に沿う断面図。
【図３】本発明を実施するための最良の第１の形態の概略説明図。
【図４】スイッチをＯＮした状態の第１の動作説明図。
【図５】スイッチをＯＮした状態の第２の動作説明図。
【図６】本発明を実施するための第２の形態の正面図。
【図７】図６の７−７線に沿う断面図。
【図８】本発明を実施するための第２の形態の概略説明図。
【図９】本発明を実施するための第３の形態の正面図。
【図１０】図９の１０−１０線に沿う断面図。
【図１１】本発明を実施するための第３の形態の概略説明図。
【図１２】本発明を実施するための第４の形態の正面図。
【図１３】図１２の１３−１３線に沿う断面図。
【図１４】本発明を実施するための第4の形態の概略説明図。
【符号の説明】
【００２３】
１、１Ａ、１Ｂ、１Ｃ：お店の出入口装置、
２：店内、                                        ３：出入口、
４：自動開閉装置、                                    ５：開閉扉、            
６：自動開閉装置、                                    ７、７Ａ：風切り用開閉扉、
８、８Ａ：風切り室、                    ９：レジ、
１０：スイッチ、                            １１、１１Ａ：開閉扉制御装置、            
１２：泥棒、                                                １３：ドアクローザ、
１４：電磁ソレノイド、                １５：裏出入口、
１６：裏口用風切り室、        １７：催眠スプレー噴射装置。
【図１】
2009024925.tif 000003
【図２】
2009024925.tif 000004
【図３】
2009024925.tif 000005
【図４】
2009024925.tif 000006
【図５】
2009024925.tif 000007
【図６】
2009024925.tif 000008
【図７】
2009024925.tif 000009
【図８】
2009024925.tif 000010
【図９】
2009024925.tif 000011
【図１０】
2009024925.tif 000012
【図１１】
2009024925.tif 000013
【図１２】
2009024925.tif 000014
【図１３】
2009024925.tif 000015
【図１４】
2009024925.tif 000016